(57)【要約】【課題】ケース本体の外側に接合部の段差が形成されないようにした組立ケースを提供する。【解決手段】複数の側面板２，３・・によって囲まれたケース本体１の端部開口が蓋板によって開閉可能に構成され、ケース本体１の内部に収納物７を収納できるようにした組立ケース３０であって、隣接し合う側面板２，５の側縁に形成される接合部１１，１２が、ケース本体１の内側に向けて折曲され、接合部１１，１２間に接着剤を介して接合されてなる接合部分１２１が、ケース本体１内に形成される。このような構成によって、ケース本体１の外側には段差は発生しなくなる。【選択図】図３
2010149891.tif 000002
【特許請求の範囲】
【請求項１】
複数の側面板によって囲まれたケース本体の端部開口が蓋板によって開閉可能に構成され、ケース本体の内部に収納物を収納できるようにした組立ケースであって、
隣接し合う側面板の側縁に形成される接合部が、ケース本体の内側に向けて折曲され、接合部同士が接着剤を介して接合されてなる接合部分が、ケース本体内に形成されることを特徴とする組立ケース。
【請求項２】
前記接合部分は、前記隣接し合う側面板同士の中間位置に立ち上げられる請求項１に記載の組立ケース。
【請求項３】
前記接合部分の外側には、延長板が連設される請求項１又は２に記載の組立ケース。
【請求項４】
前記延長板によって、立体化された前記ケース本体内の空間が仕切られる請求項１乃至３の何れかに記載の組立ケース。
【発明の詳細な説明】
【技術分野】
【０００１】
本発明は、例えば、化粧品や医薬品等を体裁よく陳列可能な状態に収納するためにプラスチックシートで形成される組立ケースに関する。
【背景技術】
【０００２】
従来、プラスチックシートを組み立てて箱状に形成されたケース本体内に、チューブ状、パイプ状等の容器に入れた化粧品や医薬品等を収納して店頭に陳列できるようにした各種の組立ケースが提案されている（例えば、特許文献１参照）。このような組立ケースは、例えば、所定形状に截断されると共に所定の箇所に罫線（又は折線）が入れられたプラスチックシートを、罫線に沿って順次折り曲げ、更に合わせ面を接着剤で接着することによって、中空直方体状のケース本体が形成される。このようなケース本体３１では、例えば、図１０に示すように、前面板３２の側縁に帯状に形成した接合部３３を略直角に折曲して側面板３４の側縁上に接着剤を介してラップさせるように接合させている。
【特許文献１】特開２００１−１３９０１９号公報
【発明の開示】
【発明が解決しようとする課題】
【０００３】
上述のように、ケース本体３１の外部に接合部３３を設けた場合、その側面板３４の表面に接合部３３に沿って段差３３ａが発生するため、組立ケースの見栄えが低下するという問題があった。特に、美粧性が重要視される化粧品のパッケージ等では、このような段差３３ａの発生は好ましくない。また、組立ケースを手にとった時に段差３３ａに触れることで違和感を与えることも懸念される。そして、その接合部３３がラップする側面板３４の表面には、通常、文字や模様（登録商標やロゴマーク、使用方法、効能書等々）が印刷されることが多い。特に、化粧品のパッケージ等では、ハイレベルな印刷技術が求められるため、その段差３３ａの上に印刷部分が重なると、文字や模様に歪みが生じるため、印刷品位を甚だしく低下させることになり好ましくない。そこで、その段差３３ａを避けた位置に印刷しようとすると、印刷できる面積が少なくなってしまう。このようなことから、ケース本体の外面に接合部による段差を発生させないようにするための対策が求められていた。
【０００４】
本発明は、このような事情に鑑みてなされ、ケース本体の外面に接合部による段差が発生しないようにした組立ケースを提供することを目的とする。
【課題を解決するための手段】
【０００５】
本発明の組立ケースは、上記課題を解決するために、以下のように構成している。即ち、複数の側面板によって囲まれたケース本体の端部開口が蓋板によって開閉可能に構成され、ケース本体の内部に収納物を収納できるようにした組立ケースであって、
隣接し合う側面板の側縁に形成される接合部が、ケース本体の内側に向けて折曲され、接合部同士が接着剤を介して接合されてなる接合部分が、ケース本体内に形成されることを特徴とする。
【０００６】
前記接合部分は、前記隣接し合う側面板同士の中間位置に立ち上げられてもよい。
【０００７】
前記接合部分の外側には、延長板が連設されるようにしてもよい。
【０００８】
前記延長板によって、立体化された前記ケース本体内の空間が仕切られるようにしてもよい。
【発明の効果】
【０００９】
本発明の組立ケースは、側面板の側縁に形成される接合部が、ケース本体の内側に向けて折曲され、その接合部同士が接着剤を介して接合されてなる接合部分が、ケース本体内に形成されるので、ケース本体の外側には、接合部の段差が発生しなくなり、すっきりとした美粧性が得られる。また、段差がないため、違和感のない良好な触感が得られる。そして、側面板に印刷を施す場合にも、段差が存在しないため、ハイレベルな印刷が可能となる。また、段差によって印刷面積が制約される弊害もなくなる。
【００１０】
このような組立ケースにあっては、接合部分を、隣接し合う側面板同士の中間位置に立ち上げれば、接合部分が、両側面板から離れた位置に存在することになる。そのため、側面板の表面に文字や模様を印刷しても、接合部分の接着剤層の色やその変色（白色化）等によって、その印刷部分が影響を受けることはなく、その印刷状態が不鮮明になるようなことがなくなる。また、接合部分の外側に延長板を連設すれば、その延長板によって、立体化されたケース本体内の空間を仕切ることができ、複数の収納スペースを得ることができる。これにより、複数の収納物を区分けした状態で収納することができる。
【発明を実施するための最良の形態】
【００１１】
以下に、本発明の組立ケースの実施の一形態について図面を参照しつつ詳細に説明する。
図１は組立ケースの展開図、図２は組立ケースを立体化した状態の斜視図、図３（ａ）は組立ケースの断面図、（ｂ）（ｃ）はその変形例を示す断面図である。この組立ケース３０は、図１に示すような型抜きした透明な１枚のプラスチックシートの折曲と接着によって形成され、立体化した直方体状のケース本体１内に収納物７，７を収納できるように構成されている。そのプラスチックシートには、ケース本体１を形成するための第１側面板２と、第２側面板（前面側）３と、第３側面板４と、第４側面板（背面側）５と、が折線６を介して横方向に連設され、第１側面板２及び第３側面板４の縦方向の両端には、折線６を介して、差込片（フラップ）８が連設され、第２側面板３の縦方向の両端には、折線６を介して、舌片９付きの蓋板１０が連設されている。尚、折線６は、折曲のための予定線であり、罫線、折曲線、折り筋等とも称される。また、プラスチックシートの素材には、適度の強度が要求され、例えばポリオレフィン系樹脂、ポリスチレン系樹脂、ポリエステル系樹脂、ポリアミド系樹脂等々を用いることができる。
【００１２】
そして、第１側面板２の外側縁には、折線６を介して、帯状の第１接合部１１が連設され、その第１接合部１１の外側には第１延長板１３が連設されている。一方、第４側面板５の外側縁には、折線６を介して、帯状の第２接合部１２が連設され、その第２接合部１２の外側には第２延長板１４が連設されている。その第１接合部１１と第２接合部１２が接着剤によって互いに接合されてなる接合部分１２１がケース本体１内に形成され、その接合部分１２１が第１側面板２と第４側面板５の中間位置に立ち上げられる。そして、その接合部分１２１から延びる第１延長板１３及び第２延長板１４は、第２側面板３と第３側面板４との間の折線６まで延長され（図３（ａ）参照）、この第１延長板１３と第２延長板１４によって、立体化されたケース本体１内の空間が対角線状に２分されるように仕切られる。
【００１３】
その第１延長板１３と第２延長板１４は、何れか一方が省略されてもよい。つまり、ケース本体１内を、第１延長板１３又は第２延長板１４の何れか一方のみで仕切ってもよい。また、第１延長板１３と第２延長板１４は、必ずしも折線６まで延長される必要はなく、適宜な長さに設定されてよい。また、このような仕切りが必要でない場合には、第１接合部１１及び第２接合部１２の外側（図１に一点鎖線で示す箇所）を切断して第１延長板１３と第２延長板１４を除去した状態に型抜きすればよい。あるいは、図１に示す例では、一枚のプラスチックシートから組立ケース３０を形成しているが、本発明は、これに限定されることなく、組立ケース３０は、複数枚のプラスチックシートで形成されてもよい。また、プラスチックシートに代えて、紙シートで組立ケース３０が形成されてもよい。
【００１４】
このように、第１接合部１１と第２接合部１２が接合されてなる接合部分１２１が、ケース本体１内における第１側面板２と第４側面板５の中間位置に立ち上げられるので、ケース本体１の外側には、接合部による段差が発生しなくなり、すっきりとした美粧性が得られる。また、段差がないため、違和感のない触感が得られる。そして、第１側面板２又は第４側面板５に印刷を施す場合にも、段差が存在しないため、ハイレベルな印刷が可能となる。また、段差によって印刷面積が制約される弊害もなくなり、広い印刷面積を確保することもできる。さらに、第１側面板２又は第４側面板５の表面に文字や模様が印刷されても、その接合部分１２１における接着剤層の影響を受けることがなくなり、たとえ接着剤層が変色（白色化等）しても、印刷の鮮明度が低下することはない。
【００１５】
図３（ａ）の例では、ケース本体１が、第１延長板１３と第２延長板１４によって２分されるため、断面が三角形状の２つの収納スペース１５，１６ができる。従って、例えば、一方の収納スペース１５に収納される収納物７は商品とし、他方の収納スペース１６に収納される収納物７は、例えば説明書(効能書き) 等としてもよい。また、一方の収納スペース１５にはメインの商品を収納し、他方の収納スペース１６にはサブの商品を収納することもできるし、両方の収納スペース１５，１６に同じ商品を収納してもよく、全く異なる商品を収納してもよく、その使用方法の選択は自由である。
【００１６】
図３（ｂ）では、第１延長板１３と第２延長板１４とによって、略楕円断面状の収納スペース１７をケース本体１内の中央部に対角線状に形成している。つまり、この場合は、第１延長板１３と第２延長板１４の幅寸法（図１における横方向の長さ）を前実施の形態の場合よりも少し大に設定し、その各先端部を、第２側面板３と第３側面板４の間の折線６に当接させることによって、第１延長板１３と第２延長板１４が図示のように湾曲してその間に略楕円断面状の収納スペース１７が形成されるようにしている。このような収納スペース１７に収納された収納物７は、第１延長板１３と第２延長板１４によってケース本体１内で弾発的に緩衝支持されることになる。従って、取扱時や搬送時等に、組立ケース３０が落下したり他物と衝突したりすることで組立ケース３０に衝撃が作用しても、収納物７を保護することができる。また、収納物７が、ケース本体１内の空間に浮上した状態に支持されるため、ユニークな装飾性（美粧性）が発揮され、商品価値を高めることもできる。あるいは、その収納スペース１７の両側のスペース１８，１９にも、別の収納物（（図示省略）、例えば、装飾性を向上させるための飾り物（装飾モール、花かざり、オブジェ等）等を収納してもよい。
【００１７】
図３（ｃ）は、別の変形例を示し、この例では、第１延長板１３と第２延長板１４を両側に向けて湾曲させ、第１延長板１３の先端部を、第１側面板２と第２側面板３の間の折線６に当接させる一方、第２延長板１４の先端部を第３側面板４と第４側面板５の間の折線６に当接させ、ケース本体１内に３つの収納スペース２０，２１，２２を形成している。各収納スペース２０，２１，２２には、適宜、商品を区分して収納することができるし、装飾性や意匠性、美粧性等を考慮して、商品を引き立てるための飾り物（装飾モール、花かざり、オブジェ等）等を商品のまわりに収納してもよく、その使用方法の選択は自由である。
【００１８】
図４（ａ）（ｂ）は、異なる実施の形態に係る組立ケース３０を示し、この例では、延長板１３，１４にそれぞれ、略Ｕ字状に切り欠いた押さえ舌片１３ａ，１４ａを形成し、収納スペース２０に収納した収納物７に押さえ舌片１３ａ，１４ａを当接させることによって、収納物７の移動を阻止するようにしている。つまり、延長板１３，１４を、それぞれ折線６に当接するように湾曲させる際に、押さえ舌片１３ａ，１４ａは、略Ｕ字状に切り欠かれているため、湾曲することなく略ストレートの状態となり、その先端が収納物７の両側に当接した状態となる。図５（ａ）（ｂ）は、さらに異なる実施の形態を示し、この例では、押さえ舌片１３ｂ，１４ｂを、それぞれ、図４（ａ）（ｂ）に示す例とは逆の向きに切り欠いている。このようにしても、押さえ舌片１３ｂ，１４ｂの先端が、図５（ｂ）に示すように、ケース本体１の内方に向けてそのままストレートに延び、収納物７に当接した状態となり、収納物７の移動を阻止することができる。
【００１９】
図６（ａ）（ｂ）は、特に、筒状容器に入ったマスカラを収納するために設計された組立ケース３０の例を示す。基本的な構成は、図１，図２等に示す組立ケース３０と同じであるが、この例においても、ケース本体１の外側には、接合部分１２１による段差が発生しなくなり、すっきりとした美粧性が得られる。また、段差がないため、違和感のない触感が得られる。そして、第１側面板２から第４側面板５の何れの側面に印刷を施す場合にも、段差が存在しないため、ハイレベルな印刷が可能となる。また、段差によって印刷面積が制約される弊害もなくなり、広い印刷面積を確保することもできる。この例では、マスカラ７をケース本体１内の片隅（第３側面板４の側）に寄せて収納し、その第２側面板（正面側）３の第１側面板２寄りのマスカラ７から離れた位置３ａに商品名やロゴマーク等をカラーで印刷すると共に、第１側面板２には、説明書きを小さな文字で印刷している。このような位置３ａに印刷を施しても、マスカラ７が印刷部分によって隠蔽されることはなく、マスカラ７と印刷内容とが並列に配置されるため、まとまりのよい美粧性が得られる。そして、接合部分１２１の両側の第１，第２側面板２，３に印刷が施されても、その印刷部分は、接着剤層のある接合部分１２１から離間しているため、接着剤層の影響は全く受けることがない。従って、たとえ接着剤層が変色しても、印刷部分の鮮明度が低下することはない。尚、図６（ｂ）に示すように、第１側面板２と第２側面板（正面側）３の間の中間位置に接合部分１２１を立ち上げ、その接合部分１２１から延長された延長板１４でケース本体１内を仕切っており、その延長板１４の先端は、第３側面板４と第４側面板５の間の折線６まで延びていないが、その先端は折線６まで延長されてもよい。
【００２０】
図７（ａ）〜（ｆ）は、別の実施の形態に係る組立ケース３０のケース本体１の横方向の断面形状を示し、図７（ａ）に示す例では、ケース本体１の断面が略正三角形状に形成され、その接合部分１２１は、第１側面板２と第２側面板３の間の頂点から下方に垂下され、両側面板２，３の中間位置に存在している。図７（ｂ）に示す例では、接合部分１２１から一方の延長板１３を下方に延長させてケース本体１内を略２分割し、２つの収納スペースを設けている。図７（ｃ）に示す例では、接合部分１２１から双方の延長板１３，１４を湾曲させて、その各先端部を第３側面板４の両側の折線６，６に当接させ、ケース本体１内を３分割し、３つの収納スペースを設けている。
【００２１】
図７（ｄ）に示す例では、ケース本体１の断面が略正五角形状に形成され、その接合部分１２１は、第１側面板２と第２側面板３の間の頂点から下方に垂下され、両側面板２，３の中間位置に存在している。図７（ｅ）に示す例では、接合部分１２１から一方の延長板１３を下方に延長させてケース本体１内を略２分割し、２つの収納スペースを設けている。図７（ｆ）に示す例では、接合部分１２１から双方の延長板１３，１４を湾曲させて、その各先端部を、図示底辺をなす側面板（符号省略）の両側の折線６，６に当接させ、ケース本体１内を３分割し、３つの収納スペースを設けている。以上の各組立ケース３０では、前記各実施の形態と同様に、ケース本体１の外には、接合部分１２１による段差が発生しなくなり、すっきりとした美粧性が得られる。また、段差がないため、違和感のない触感が得られる。そして、第１側面板２又は第２側面板３に印刷を施す場合にも、段差が存在しないため、ハイレベルな印刷が可能となる。また、段差によって印刷面積が制約される弊害もなくなり、広い印刷面積を確保することもできる。そして、第１側面板２と第２側面板３の表面に印刷を施しても、その接合部分１２１の接合剤層の影響を受けることがなく、その鮮明度が低下することはない。各収納スペースは、適宜、自由に選択して使用できるのは言うまでもない。尚、図７（ｃ）（ｆ）に示す例においても、図４（ａ）（ｂ）及び図５（ａ）（ｂ）に示すような押さえ舌片１３ａ，１４ａ（又は１３ｂ，１４ｂ）を設けて収納物７を位置決めすることができる。その場合、例えば、図８（ａ）（ｂ）に示すように、両折線６に先端を当接させるように湾曲させる双方の延長板１３，１４に、それぞれ押さえ舌片１３ａ，１４ａ（又は１３ｂ，１４ｂ）を設ければよい。
【００２２】
図９（ａ）（ｂ）は、他の実施の形態の組立ケース３０を示し、この場合、基本的には、図１に示すプラスチックシートと略同様に型抜きされた１枚のプラスチックシートで形成されるが、第１側面板２の外側縁に折線６を介して帯状に形成される第１接合部１１と、第４側面板５の外側縁に折線６を介して帯状に形成される第２接合部１２と、が接着剤によって互いに接合されてなる接合部分１２１が、ケース本体１内の第１側面板２の内側に沿うように位置づけられる。そして、第１延長板１３をケース本体１の略対角線上に延出させる一方、第２延長板１４を第４側面板５との間に所定の間隔をおいて並行に延出させている。このような構成によって、３つの収納スペース２３，２４，２５が形成され、下部に形成される収納スペース２３，２４は、ケース本体１を略対角線状に２分して形成され、上部に形成される収納スペース２５は、第４側面板５の裏面に沿って断面が矩形状に形成される。このような組立ケース３０は、例えば、その上部の矩形断面に形成された収納スペース２５には偏平な形状のスポンジ等を収納できるため、ファンデーションセット等を収納するのに好適である。
【００２３】
尚、本発明の組立ケースは、以上説明した実施の形態に限定されることなく、発明の要旨を逸脱しない限りにおいて、適宜、必要に応じて、改良、変更等は自由であり、各実施の形態間での構成の組み合わせも自由である。例えば、ケース本体の形状は、適宜に変形されてよく、曲面状の側面板が含まれてもよい。また、接合部は帯状に形成される他、断続的、スポット的等に形成されてもよい。また、接着剤に代えて、両面テープで接合部同士が接合されてもよい。プラスチックシート等の素材は、透明でなくてもよく、内部を透視できる程度に着色されていてもよく絵柄や模様が付されていてもよい。また、ケース本体内に収納する収納物は、化粧品や医薬品に限られることなく食品類等であってもよく、その他、適宜に選択されてよい。
【産業上の利用可能性】
【００２４】
本発明の組立ケースは、ケース本体の外側に接合部の段差が形成されないため、ハイレベルな印刷を施すことが可能であり、例えば、美粧性が求められる化粧品を収納するパッケージ（美粧箱）等に好適に適用することができる。
【図面の簡単な説明】
【００２５】
【図１】本発明の実施の一形態に係る組立ケースの展開図である。
【図２】同組立ケースの斜視図である。
【図３】（ａ）は同ケース本体の断面図、（ｂ）（ｃ）は、その変形例である。
【図４】（ａ）は本発明の異なる実施の形態に係る組立ケースの展開図、（ｂ）は同断面図である。
【図５】（ａ）は本発明のさらに異なる実施の形態に係る組立ケースの展開図、（ｂ）は同断面図である。
【図６】（ａ）マスカラ収納用の組立ケースの斜視図、（ｂ）同断面図である。
【図７】（ａ）〜（ｆ）は同別の実施の形態に係る組立ケースの断面図である。
【図８】（ａ）（ｂ）は同押さえ舌片を設けた組立ケースの断面図である。
【図９】（ａ）は他の実施の形態に係る組立ケースの断面図、（ｂ）は同Ａ部拡大図である。
【図１０】従来の組立ケースの一例を示す斜視図である。
【符号の説明】
【００２６】
１  ケース本体
２  第１側面板
３  第２側面板
３ａ  位置
４  第３側面板
５  第４側面板
６  折線
７  収納物
８  差込片
９  舌片
１０  蓋板
１１  第１接合部
１２  第２接合部
１２１  接合部分
１３  第１延長板
１４  第２延長板
３０  組立ケース
３１  ケース本体
３２  前面板
３３  接合部
３３ａ  段差
３４  側面板
【図１】
2010149891.tif 000003
【図２】
2010149891.tif 000004
【図３】
2010149891.tif 000005
【図４】
2010149891.tif 000006
【図５】
2010149891.tif 000007
【図６】
2010149891.tif 000008
【図７】
2010149891.tif 000009
【図８】
2010149891.tif 000010
【図９】
2010149891.tif 000011
【図１０】
2010149891.tif 000012